(57)【要約】【課題】  ディスクの再生を中断し、後に中断した個所から再び再生を開始できる再生の再開機能を複数のユーザが利用できる情報再生装置を提供する。【解決手段】  光ディスク等の情報記憶媒体としての記憶部Ｍ１を再生中に、入力部１１ａにより再生を停止する指示が入力された場合、その時点で再生されていたデータの記憶部Ｍ１における記録位置がレジューム情報として、各タイトル毎に保持される。入力部１１ａによりタイトルを特定する情報及び再生開始の指示が入力され、更に該タイトルについて前記レジューム情報が保持されている場合、制御部３０ａは該レジューム情報に従って再生を開始するよう前記再生手段を制御する。【選択図】      図５  
2004362766.tif 000002
【特許請求の範囲】
【請求項１】
複数のタイトルが記録され、交換可能な情報記憶媒体を再生する再生手段と、
前記再生手段に対する再生開始及び再生停止する指示、及び再生するタイトルを特定するための情報を入力するための入力手段と、
前記情報記憶媒体を再生中に、前記入力手段により前記再生を停止する指示が入力された場合、その時点で再生されていたデータの前記情報記憶媒体上の記録位置をレジューム情報として、前記再生装置内に設けられた記憶部に、各タイトル毎に記録するレジューム情報記録手段と、
前記入力手段により前記タイトルを特定する情報及び再生開始の指示が入力され、更に該タイトルについて前記レジューム情報が保持されている場合、該レジューム情報に従って再生を開始するよう前記再生手段を制御する制御手段と、
を具備することを特徴とする情報再生装置。
【請求項２】
前記レジューム情報記録手段は、前記交換可能な情報記憶媒体のＩＤ情報と共に、前記レジューム情報を前記再生装置内に設けられた記憶部に記録することを特徴とする請求項１記載の情報再生装置。
【発明の詳細な説明】
【技術分野】
【０００１】
本発明は情報記憶媒体に対して情報を記録及び再生する情報記録再生装置に関し、特に情報再生中に再生が途中で停止され、後に再び再生が開始された時、再生が途中で停止された位置から再生を行う情報再生装置に関する。
【背景技術】
【０００２】
近年、映像や音声等のデータを記録した光ディスクを再生する動画対応の光ディスク再生装置が開発されている。この装置は、例えばＬＤや、ビデオＣＤ再生装置などの様に、映画ソフトを鑑賞したりカラオケ等楽しむ目的で一般に普及されている。
【０００３】
その中で、現在、国際規格化したＭＰＥＧ２（Moving Image Coding Expert Group ）方式を使用するとともに、ＡＣ３オーディオ圧縮方式を採用したＤＶＤ規格が提案された。
【０００４】
この規格は、ＭＰＥＧ２システムレイヤに従って、動画圧縮方式にＭＰＥＧ２方式をサポートし、音声圧縮方式にＡＣ３オーディオ圧縮方式及びＭＰＥＧオーディオ圧縮方式をサポートしている。さらに、映画やカラオケ等の字幕用としてビットマップデータをランレングス圧縮した副映像データを取り扱うことができるようになっている。さらに、この規格では、再生装置との関係では、早送り逆送りなどの特殊再生用コントロールデータ（ナビパック）を追加して構成されている。
【０００５】
さらに又この規格では、コンピュータでディスクのデータを読むことが出来るように、ＩＳ０９６６０とマイクロＵＤＦの規格をサポートしている。
【０００６】
又、メディア自身の規格としては、ＤＶＤ−ビデオのメディアであるＤＶＤ−ＲＯＭの規格に続き、ＤＶＤ−ＲＡＭの規格（４．７ＧＢ）も完成し、ＤＶＤ−ＲＡＭドライブもコンピュータ周辺機器として、普及し始めている。
【０００７】
さらに、現在ではＤＶＤ−ＲＡＭを利用し、リアルタイムでの情報記録再生が可能なシステムを実現するＤＶＤビデオ規格、つまりＲＴＲ（Real Time Recording）−ＤＶＤの規格も整備され、この規格を準拠する製品も市場に出ている。
【０００８】
この規格は、現在発売されているＤＶＤ−ビデオの規格を元に考えられている。さらに、そのＲＴＲ−ＤＶＤに対応したファイルシステムも現在規格化されている。
【０００９】
通常、再生専用のＤＶＤビデオ・プレーヤでは、再生中に一時的に再生を中断した後、その再生を中断した箇所から引き続き再生することができる続き再生機能を有している。この続き再生機能は、具体的には、挿入されているディスクに対して、再生を途中で中断した際に、今まで再生していた箇所の中断情報をプレーヤ内のＲＡＭに記憶しておき、その中断情報をアクセスし、例えば、続き再生キーを押すことにより、前に再生していた場所のデータをメモリから読み出し、その後、再生の続きから再生を再開するものである。
【００１０】
更に、ディスクに対して録画・再生が可能な再生装置の場合では、再生中断時に、次に再生を再開するための再生中断情報をディスクに記録しておき、次回の再生時には、再生中断情報を参照して中断した箇所から映像を再生することができる続き再生機能を有する再生装置が開発されている。
【発明の開示】
【発明が解決しようとする課題】
【００１１】
１枚のディスクに対し複数の人が個別に予約録画を行い、録画したプログラム（番組）の視聴途中で再生を中断し、後から続きを視聴するような場合、上記したような続き再生機能は１人のユーザしか利用できない。
【００１２】
従って本発明は、上記したような再生の再開機能を複数のユーザが利用できる情報再生装置を提供することを目的とする。
【００１３】
又本発明は、ディスクに録画されたプログラム（以下タイトルという）毎に、再生の再開が可能な情報再生装置を提供することを目的とする。
【課題を解決するための手段】
【００１４】
本発明の情報再生装置は、複数のタイトルが記録され、交換可能な情報記憶媒体を再生する再生手段と、前記再生手段に対する再生開始及び再生停止する指示、及び再生するタイトルを特定するための情報を入力するための入力手段と、前記情報記憶媒体を再生中に、前記入力手段により前記再生を停止する指示が入力された場合、その時点で再生されていたデータの前記情報記憶媒体上の記録位置をレジューム情報として、前記再生装置内に設けられた記憶部に、各タイトル毎に記録するレジューム情報記録手段と、
前記入力手段により前記タイトルを特定する情報及び再生開始の指示が入力され、更に該タイトルについて前記レジューム情報が保持されている場合、該レジューム情報に従って再生を開始するよう前記再生手段を制御する制御手段と、を具備する。
【００１５】
複数の音声ストリームを含む再生データに対しては、音声ストリーム番号も保持される。又、デュアルモノ(dual mono)をサポートする再生データフォーマットを扱う再生システムにおいては、主／副の状態も保持する。
【００１６】
上記レジューム情報の保持を行うのは、タイトルが指定されて再生が行なわれた時のみとしても良い。この場合、プログラムセット（Program Set: ＰＧ＿ＳＥＴ）再生時は保持しない。又は、タイトル指定による再生以外でも、再生を中断すると、そのタイトルのレジューム情報を更新してもよい。
【００１７】
上記レジューム情報はビデオデータと同じメディア上に記憶するか、又は再生システム内の記憶部に交換可能メディアのＩＤと共に保持する。これによりディスクが抜かれたり、電源オフされた後もレジューム情報は保持される。
【００１８】
又、再生開始手順を複数用意することにより、レジューム情報に基づく再生と、タイトル又はディスク先頭からの再生が選択可能となる。更にこのレジューム機能は、再生に先立って選択可能とする。又は、装置の初期設定として有効・無効を指定してもよい。
【００１９】
このレジューム機能を用いた再生時は、その旨がユーザに通知される。又、メディアがライトプロテクトされていて、そのメディア上にレジューム情報が記録されている場合は、そのレジューム情報を使用しない。Ｓｋｉｐ／ＦＦ／Ｒｅｗ／Ｓｌｏｗ後の通常再生では、一定時間以上再生して停止された場合のみ、レジューム情報が更新される。更に、レジュームは消去することも可能である。明示的にこの消去はグラフィックユーザインターフェース（Graphic User Interface: ＧＵＩ）などで行われる。又このレジューム情報は、停止２回（異なるキー操作）で消去、あるいは最後まで再生したら消去するようにしてもよい。
【発明の効果】
【００２０】
以上説明したように本発明によれば、ディスクの再生を中断し、後に中断した個所から再び再生を開始できる再生の再開機能を複数のユーザが利用できる。又本発明によれば、ディスクに録画されたプログラム毎に、再生の再開が可能となる。
【発明を実施するための最良の形態】
【００２１】
以下、図面を参照しながら本発明の実施の形態について詳細に説明する。
【００２２】
図１は本発明が適用される情報記録再生装置の構成を示すブロック図である。この情報記録再生装置は、ハーディスクドライブ（ＨＤＤ）２０と、ビデオファイルを構築できる情報記憶媒体である光ディスク１０を回転駆動し、この光ディスク１０に対して情報の読み書きを実行するディスクドライブ３５と、録画側を構成するエンコーダ部５０と、再生側を構成するデコーダ部６０と、装置本体の動作を制御するマイクロコンピュータブロック３０とを、主たる構成要素としている。
【００２３】
エンコーダ部５０は、ＡＤＣ（アナログデジタルコンバータ）５２と、Ｖ(ビデオ)エンコーダと、Ａ（オーディオ）エンコーダと、ＳＰ（副映像）エンコーダを含むエンコーダ群５３と、各エンコーダの出力を所定のフォーマットにするフォーマッタ５６と、バッファメモリ５７とを備えている。
【００２４】
ＡＤＣ５２には、ＡＶ入力部４２からの外部アナログビデオ信号＋外部アナログオーディオ信号、あるいはＴＶ（テレビジョン）チューナ４４からのアナログＴＶ信号＋アナログ音声信号が入力される。
【００２５】
データプロセッサ３６は、マイクロコンピュータブロック３０の制御にしたがって、エンコーダ部５０から出力されたＤＶＤ記録データをディスクドライブ３５に供給したり、光ディスク１０から再生したＤＶＤ再生信号をディスクドライブ３５から取り込んだり、光ディスク１０に記録された管理情報を書き替えたり、光ディスク１０に記録されたデータの削除をしたりする。
【００２６】
マイクロコンピュータブロック３０は、ＭＰＵ（マイクロプロセシングユニット）、又はＣＰＵ（セントラルプロセシングユニット）と、制御プログラム等が書き込まれたＲＯＭと、プログラム実行に必要なワークエリアを提供するためのＲＡＭとを含んでいる。
【００２７】
マイクロコンピュータブロック３０のＭＰＵは、そのＲＯＭに格納された制御プログラムにしたがい、ＲＡＭをワークエリアとして用いて、欠陥場所検出、未記録領域検出、録画情報記録位置設定、ＵＤＦ記録、ＡＶアドレス設定等を実行する。
【００２８】
デコーダ部６０は、パック構造を持つ映像情報から各パックを分離して取り出すセパレータ６２と、パック分離やその他の信号処理実行時に使用するメモリ６３と、セパレータ６２で分離された主映像データをデコードするＶデコーダと、セパレータ６２で分離された副映像データをデコードするＳＰデコーダと、セパレータ６２で分離されたオーディオデータをデコードするＡデコーダによるデコーダ群６４と、Ｖデコーダから得られる主映像データにＳＰデコーダから得られる副映像データを適宜合成し、主映像にメニュー、字幕その他の副映像を重ねて出力するビデオプロセッサ６６を備えている。
【００２９】
Ａデコーダの出力をデジタル出力する場合は、インターフェース（Ｉ／Ｆ）７５を介して外部へ出力され、アナログ出力する場合は、セレクタ７６を介してＤＡＣ７７でアナログ変換され外部に出力される。セレクタ７６は、マイクロコンピュータブロック３０からのセレクト信号により、ＴＶチューナ４４やＡ／Ｖ入力部４２からＡＤＣ５２を介して入力される信号とデコーダ群６４から入力される信号の一方を選択して出力する。アナログオーディオ信号は、図示しない外部コンポーネント（２チャンネル〜６チャンネルのマルチチャンネルステレオ装置）に供給される。
【００３０】
キー入力部１１は再生（ＰＬＡＹ）、停止（ＳＴＯＰ）、録画（ＲＥＣ）、スキップ（Ｓｋｉｐ）、早送り（ＦＦ）、逆送り（Ｒｅｗ）、スロー（Ｓｌｏｗ）等のボタンを有し、このボタンを押下することによりユーザは本記録再生装置を操作できる。
【００３１】
図２は、図１に示した記録再生装置に適用されるＤＶＤディスクの一例として、リアルタイムレコーディング（ＲＴＲ）ＤＶＤのビデオ及びオーディオファイルのデイレクトリー構造について示している。
【００３２】
ＤＶＤでは、規格毎にディレクトリが存在し、これらのディレクトリー名を、ＲＴＲ−ＤＶＤでは、「ＤＶＤ＿ＲＴＲ」、ＤＶＤ−オーディオでは、「ＡＯＵＤＩＯ＿ＴＳ」、ＤＶＤ−ビデオでは、「ＶＩＤＥＯ＿ＴＳ」としている。図２では、「ＤＶＤ＿ＲＴＲ」、「ＡＯＵＤＩＯ＿ＴＳ」が示されている。記録データは、各ディレクトリー内に存在する。
【００３３】
又、ＤＶＤでは、通常のファイル形式でデータが保存される。タイトルは、例えば映画の1本分に相当し、1枚のディスクにこのタイトルが複数記録可能である。そしてタイトルが集まったものをタイトルセット（ＶＴＳ）と呼び、このタイトルセットは、複数のファイルで構成される。
【００３４】
ディレクトリー「ＤＶＤ＿ＲＴＲ」内には、ビデオマネジャー（ＶＭＧ）ファイルとしてのＶＲ＿ＭＡＮＥＧＥＲ．ＩＦＯ、ムービービデオファイルとしてのＶＲ＿ＭＯＶＩＥ．ＶＲＯ、スチルピクチャービデオファイルとしてのＶＲ＿ＳＴＩＬＬ．ＶＲＯ、スチルピクチャーオーディオファイルとしてのＶＲ＿ＡＵＤＩＯ．ＶＲＯ、ビデオマネジャーのバックアップとしてのＶＲ＿ＭＡＮＡＧＲ．ＢＵＰの各ファイルが存在する。
【００３５】
ＶＲ＿ＭＡＮＥＧＥＲ．ＩＦＯファイルには、ナビゲーションデータが記録されるもので、このナビゲーションデータは、プログラムセット、プログラム、エントリーポイント、プレイリストなどを進行させるためのデータである。
【００３６】
ＶＲ＿ＭＯＶＩＥ．ＶＲＯファイルは、ムービービデオオブジェクト（ムービーＶＯＢ）を記録するためのいわゆるムービーＡＶファイルである。
【００３７】
ＶＲ＿ＳＴＩＬＬ．ＶＲＯは、スチルピクチャーＶＯＢを記録するためのスチルピクチャＡＶファイルである。このＶＲ＿ＳＴＩＬＬ．ＶＲＯは、任意のサブピクチャーユニットを含むビデオパートで構成されるオリジナルＶＯＢを記録するために用いられる。又このとき、ビデオパートに関連したオーディオパートもオリジナルＶＯＢに含まる。
【００３８】
ＶＲ＿ＡＵＤＩＯ．ＶＲＯは、スチルピクチャーに対する付加オーディオストリームを記録するためのスチルピクチャー付加オーディオファイルである。この付加オーディオパートは、アフターレコーディングにより記録されたオーディオストリームを示す。ＶＲ＿ＡＵＤＩＯ．ＶＲＯに記録されたオーディオパートは、ＶＲ＿ＳＴＩＬＬ．ＶＲＯに記録された幾つかのビデオパートとの組み合せで使用される。
【００３９】
図３は、上記のムービービデオファイルとしてのＶＲ＿ＭＯＶＩＥ．ＶＲＯ及びスチルピクチャービデオファイルとしてのＶＲ＿ＳＴＩＬＬ．ＶＲＯのファイル構造を示している。
【００４０】
ビデオファイルは階層構造であり、１つのファイルは複数のＶＯＢ（ビデオオブジェクト）で構成され、１つのＶＯＢは複数のＶＯＢＵ（ビデオオブジェクトユニット）で構成され、１つのＶＯＢＵは複数パックから構成される。複数のパックとしては、ＲＤＩパック、Ｖパック、Ａパック等が存在する。
【００４１】
Ｖパックは、ビデオデータがＭＰＥＧ２の方式で圧縮されたもので、パックヘッダ、パケットヘッダ、ビデオデータ部で構成される。Ａパックは、オーディオデータが、例えばリニアＰＣＭあるいはＭＰＥＧ、あるいはＡＣ３などの方式で処理されたものであり、パックヘッダ、パケットヘッダ、オーディオデータ部で構成される。
【００４２】
パック内には、適宜、再生時刻を示すＰＴＳ（プレゼンテーションタイムスタンプ）や、デコード時刻を示すＤＴＳ（デコーディングタイムスタンプ）等のタイムスタンプが記述される。副映像のＰＴＳについては、同じ再生時間帯の主映像データあるいはオーディオデータのＰＴＳより任意に遅延させた時間を記述することができる。
【００４３】
ビデオファイルに記録されたデータ再生順序は、プログラムチェーン（ＰＧＣ）で定義されている。このプログラムチェーン（ＰＧＣ）には、セル（Cell）が定義され、さらにセルには、再生すべき対象となるＶＯＢが定義されている。このＰＧＣの具体的情報を記録してある部分がＶＭＧファイルの中のプログラムチェーン情報（ＰＧＣＩ）部分である。ＰＧＣＩには、２種類が存在し、１つはオリジナルＰＧＣＩ（ＯＲＧ＿ＰＧＣＩ），もう1つはユーザ定義ＰＧＣテーブル（ＵＤ＿ＰＧＣＩＴ）である。
【００４４】
ここで、上記プログラムチェーン情報が記述されているビデオマネージャファイル（ＶＭＧ）の構成について説明する。
【００４５】
図４はＶＭＧファイルに記述されている情報を階層的に示し、特にプログラムチェーン情報（ＰＧＣＩ）を階層的に詳しく示している。
【００４６】
ＶＭＧファイル内には、ＲＴＲ＿ＶＭＧＩ（ＲＴＲビデオマネージャー情報）、Ｍ＿ＡＶＦＩＴ（ムービーＡＶファイル情報テーブル）、Ｓ＿ＡＶＦＩＴ（スチルピクチャーＡＶファイル情報テーブル）、ＯＲＧ＿ＰＧＣＩ（オリジナルプログラムチェーン情報）、ＵＤ＿ＰＧＣＩＴ（ユーザ定義プログラムチェーン情報）、ＴＸＴＤＴ＿ＭＧ（テキストデータマネージャ）、ＭＮＦＩＴ（マニュファクチャー情報テーブル）がある。
【００４７】
ＲＴＲ＿ＶＭＧＩ（ＲＴＲビデオマネージャー情報）はビデオマネージャー情報管理テーブル（ＶＭＧＩ＿ＭＡＴ）及びプレイリストサーチポインターテーブル（ＰＬ＿ＳＲＰＴ）からなっている。
【００４８】
プレイリストサーチポインターテーブルは、ＲＴＲディスク内のプレイリストをサーチ及びアクセスするために必要な情報を示している。ＰＬ＿ＳＲＰＴはＰＬ＿ＳＲＰＴ情報（ＰＬ＿ＳＲＰＴＩ）で始まり、これに続いてプレイリストサーチポインタ（ＰＬ＿ＳＲＰｓ）が記述されている。各プレイリストはユーザ定義ＰＧＣからなる。従って、ＰＬ＿ＳＲＰは該プレイリストに対応するＰＧＣ番号を有している。プレイリストは該プレイリストに関係する固有の番号、即ちプレイリスト番号（ＰＬＮ）により区別される。このＰＬＮはＰＬ＿ＳＲＰＴ内のＰＬ＿ＳＲＰ”１”から”９９”までの順で全てのプレイリストに割付けられている。ユーザは１つのプレイリストをそのＰＬＮから区別できる。このプレイリストの番号はユーザ定義ＰＧＣの番号と同一である。
【００４９】
ＯＲＧ＿ＰＧＣＩ（オリジナルプログラムチェーン情報）は、記録順にデータを再生するための特別なＰＧＣである。つまりこのオリジナルＰＧＣは、データの再生順序を指定する情報であり、プログラム（ＰＧ）のつながりであるプログラムセット（ＰＧ＿ＳＥＴ）を示している。ここでプログラムとは、ユーザにより定義された記録内容の論理的ユニットであり、プログラムセット内の１つのプログラムは１以上のオリジナルセルからなる。このプログラムセットは、ＶＲＯファイルに格納されているデータである。又、オリジナルプログラムチェーン内の各プログラムに割り当てられた番号をプログラム番号（ＰＧＮ）といい、これらの番号は”１”から”９９”まである。ユーザが定義したプログラムチェーン（ＰＧＣ）にはプログラム番号（ＰＧＣＮ）という連続番号が付される。オリジナルプログラムチェーンには特別なＰＧＣＮとして”０”が付される。
【００５０】
ＵＤ＿ＰＧＣＩＴ（ユーザ定義プログラムチェーン情報）もデータの再生順序を指定するが、ユーザのプログラム編集などにより、上記ＯＲＧ＿ＰＧＣＩにより指定されているプログラムの中の部分的な指定を行いその部分部分をつなげている。したがって、ＵＤ＿ＰＧＣＩＴは、まとまったプログラムのつながりではなく、セルのつながりを示している。セルとは、プログラムの各部分を示す情報である。プログラムチェーン内のセルには連続番号が付され、この番号をセル番号（ＣＮ）という。
【００５１】
ＯＲＧ＿ＰＧＣＩ（オリジナルプログラムチェーン情報）、ＵＤ＿ＰＧＣＩＴ（ユーザ定義プログラムチェーン情報）は内容的に同様なデータ構造である。
【００５２】
ＰＧＣＩは、ＰＧＣ一般情報（ＰＧＣ＿ＧＩ）、ＰＧＣ情報テーブル（ＰＧＣＩＴ）、セル情報サーチポインタ（ＣＩ＿ＳＲＰＴ）、セル情報テーブル（ＣＩＴ）で構成される。
【００５３】
ＰＧＣ一般情報（ＰＧＣ＿ＧＩ）には、プログラム数、このＰＧＣ内のセルサーチポインタ数が記述される。
【００５４】
ＰＧＣ情報テーブル（ＰＧＣＩＴ）には、プログラム情報（ＰＧＩ）が記述されるもので、プログラムが消去プロテクトされた状態であるか否かを示すプログラムタイプ（ＰＧ＿ＴＹ），このプログラム内のセルの数（Ｃ＿Ｎｓ）、キャラクタセットを示すプライマリーテキスト情報（ＰＲＭ＿ＴＥＸＴＩ）、このプログラムに対応するアイテムテキストサーチポインタの番号（ＩＴ＿ＴＸＴ＿ＳＲＰＮ）、セル番号、ピクチャーポイントを示す代表画像情報（ＲＥＰ＿ＰＩＣＴＩ）がある。
【００５５】
セル情報サーチポインタ（ＣＩ＿ＳＲＰＴ）には、セル情報（ＣＩ）のスタートアドレスが記述される。セル情報テーブルＣＩＴには、サーチポインタで指定されるセル情報（ＣＩ＃１〜ＣＩ＃ｊ）が記述されている。セル情報（ＣＩ）は、セル一般情報（Ｃ＿ＧＩ）、セルエントリーポイント情報（Ｃ＿ＥＰＩ＃１〜Ｃ＿ＥＰＩ＃ｋ）が記述されている。
【００５６】
次に本発明による再生方法及び再生装置について説明する。
【００５７】
ＲＴＲにおける記録方式では、１枚のディスクに複数のプログラム（ＰＧ）やプレイリスト（ＰＬ）を記録することが可能となっている。ユーザは複数の番組を予約録画した際、各録画内容を別々のプログラムとして記録することが出来る。
【００５８】
１枚のディスクに対し複数の人が個別に予約録画を行い視聴する場合で、視聴途中で再生を中断し、後から続きを視聴するような状況を考慮すると、プログラム毎に再生を中断した位置等を保持しておき、そのプログラムの再生を指定された際に、再生を停止した位置から自動的に再開（レジューム）させることが出来れば、ユーザの利便性を向上することが出来る。以下、上記プログラムやプレイリストをタイトルと呼ぶ。
【００５９】
図５は図１で示した録画再生システムのうち、本発明に関する部分を抽出し簡略して示す本発明の第1の実施形態に係る再生システムのブロック図である。この実施形態における再生システムは、ビデオ及びオーディオデータを録画した記憶媒体Ｍ１と同一の記憶媒体上にレジューム情報を保持する。
【００６０】
この再生システムは、ユーザからの再生指示や再生するタイトル番号のキー入力を検出する入力部１１ａ、録画したデータやレジューム情報を保持する記憶部Ｍ１、記憶部Ｍ１に保持された録画データを元に再生を行う再生部６０ａ、本再生システムを制御する制御部３０ａからなる。記憶媒体Ｍ１として図１のＨＤＤ２０あるいはＤＶＤ−ＲＡＭ１０等を用いてデータの記録再生が可能である。再生部６０ａはデコーダ部６０、ディスクドライブ３５、データプロセッサ３６等を含む。記憶部Ｍ１には、録画データを保持する領域のほか、タイトル毎にそのレジューム情報を格納する領域が設けられる。図６はレジューム情報が格納されるテーブルの一例を示す。
【００６１】
レジューム情報としては、たとえば、前述したプログラムチェーン番号（ＰＧＣＮ）、プログラム番号（ＰＧＮ）、セル番号（ＣＮ）を保持しておくことができる。この場合、再生タイミングを示すプレゼンテーションタイムスタンプ（ＰＴＭ）あるいはピクチャーポイント（ＰＩＣＴ＿ＰＴ）も保持しておく。その他、再生停止時のオーディオストリーム番号や、デュアルモノ(dual mono)における再生チャンネルを付加させる方法などが考えられる。このデュアルモノとは、ナレーション等の音声を２カ国語で主／副音声として記録し、再生時に主／副のどちらかを選択して再生するモードを示す。更に、レジューム情報の部分に特別なコード、たとえばＰＧＣＮの部分にその値としてはあり得ない例えば大きな値を記述することにより、そのタイトルに対応するレジューム情報が保持されていないことを検出可能とする。
【００６２】
次に、図５の装置における動作を図７及び図８のフローチャートを用いて説明する。ユーザは本システムに再生を指示する場合、画面に表示された複数の録画済みプログラムを示すタイトルリストを参照して１つのタイトルを選択するか、又は入力部１１ａに設けられた数字キーを直接押下することにより、タイトルを選択できる。
【００６３】
先ず、ステップＳ１０１では、制御部３０ａが入力部１１ａを用いてユーザのキー入力を検査し、ある場合はＳ１０２に移る。ステップＳ１０２では、入力情報から再生開始の指示がなされたか検査し、再生が指示されていなければタイトルが選択されたか判断し（ステップＳ１０３）、タイトルが選択された場合は当該タイトル番号を次に再生するタイトルの番号として保持する（ステップＳ１０５）。
【００６４】
ステップＳ１０２にて、再生が指示されていれば、タイトルが既に保持されているか判断し（ステップＳ１０６）、保持されていない場合は録画されたデータの最初のタイトルの先頭から再生を開始する準備をする。つまり記憶部Ｍ１が光ディスクであれば、ディスク先頭から再生を開始する準備をする。
【００６５】
ステップＳ１０６でタイトルが保持されている場合（Ｙの場合）は、ステップＳ１０７へ移り、レジューム情報を取得する。このステップＳ１０７では、記憶部Ｍ１のレジューム情報格納領域における、再生しようとしている選択されたタイトルに対応する部分のデータを取得する。
【００６６】
ステップＳ１０８では、ステップＳ１０７にて取得したデータを検査し、レジューム情報が書きこまれていればＳ１１０に移り、無効となっていればＳ１０９に移る。ステップＳ１０９では、再生部６０ａを操作し、次の再生が入力部１１ａから入力されたタイトル番号に相当するタイトルの先頭からになるようにする。その後、ステップＳ１１１に移る。ステップＳ１１０では、取得したレジューム情報にある位置情報に相当する場所から次の再生が始まるように再生部６０ａを操作し、ステップＳ１１１に移る。このとき再生されていたタイトルが、ユーザが画面に表示されたタイトルの一覧表を用いて選択したものであった場合は、レジューム情報を有効とし、ダイレクトキーにより選択したものであった場合はレジューム情報を無効にしてもよい。更にライトプロテクトされたメディアを再生中に停止指示が入力され、そのメディア上にレジューム情報がある場合は、該レジューム情報は変更できないので、そのレジューム情報は使用しない。
【００６７】
ステップＳ１１１では、再生部６０ａが記憶部Ｍ１に格納された録画データを元に、ステップＳ１０９，Ｓ１１０で設定されたタイトルの指定された位置に相当する録画データ上の位置を計算し、その位置のデータから再生を開始する。その後、図８のステップＳ１２１に移る。尚、レジューム位置から再生を開始した場合は、その旨をユーザに通知してもよい。
【００６８】
再生部６０ａは、制御部３０ａからの停止の指示がない限り、記憶部Ｍ１上の録画データを元に、そのタイトルの最後まで再生を続ける。ステップＳ１２１では、再生部６０ａを検査し、既にタイトルの最後まで再生終了していればステップＳ１２８に移り、そうでなければステップＳ１２２に移る。ステップＳ１２８では、記憶部Ｍ１のレジューム情報記憶領域にある再生したタイトルに相当する部分のレジューム情報を無効にして、動作を終了する。
【００６９】
ステップＳ１２２では、入力部１１ａからユーザのキー入力状態を取得し、ステップＳ１２４に移る。ステップＳ１２４では、キー入力状態を検査し、停止が指示されていればステップＳ１２６に移り、そうでなければステップＳ１２５に移り入力に対応した処理を行う。
【００７０】
ステップＳ１２６では、再生部６０ａを操作し、再生動作を停止させ、ステップＳ１１６に移る。ステップＳ１２７では、再生部６０ａから停止したときの位置を取得し、記憶部Ｍ１のレジューム情報記憶領域にある再生していたタイトルに相当する部分のレジューム情報に、停止位置の情報を保持させ動作を停止する。このとき、複数の音声ストリームを含む再生データに対し、音声ストリーム番号も保持しておく。更に、デュアルモノをサポートする再生データフォーマットを扱う再生システムにおいては、主／副の状態も保持する。
【００７１】
更に、レジュームの保持を行うのは、タイトルが指定されて再生が開始した時のみとしてもよい。この場合、プログラムセット（ＰＧ＿ＳＥＴ）、つまりオリジナルプログラムチェーン再生時は保持しない。又は、タイトル指定による再生以外でも、停止が指示された場合、再生しているタイトルについてレジューム状態を更新してもよい。又、Ｓｋｉｐ／ＦＦ／Ｒｅｗ／Ｓｌｏｗ動作後の再生中における停止指示についてはレジューム更新をせず、一定時間以上再生して停止指示があった場合のみ、レジューム更新を有効とする。更にこのレジューム位置から再生を開始するレジューム機能を有効にするか否かを、再生開始時あるいは装置の初期設定として設定してもよい。
【００７２】
図９は本発明の第２の実施形態に係る再生システムの構成を示すブロック図である。この再生システムは、録画データが保持される記憶媒体（録画記憶部Ｍ２）とは別の記憶媒体（レジューム記憶部Ｍ３）にレジューム情報を保持する。このような構成をとることにより、録画記憶部のフォーマットが録画データの記録のみに対応している場合や、書き込み不可能（書き込み禁止、ＲＯＭ媒体）の場合にも、タイトル毎のレジューム情報を保持しておくことが可能となる。図１０はこのレジューム情報が格納されるテーブルの一例を示す。
【００７３】
図９における各構成要素の機能は図５の場合とほぼ同じであるが、録画記憶部Ｍ２に相当する記憶媒体がＤＶＤ−ＲＯＭあるいはＤＶＤ−ＲＡＭ等の交換可能な媒体である場合、レジューム記憶部Ｍ３に記憶されるレジューム情報は、該交換可能な記憶媒体Ｍ２のＩＤとタイトル番号毎に保持される。
【００７４】
図９の構成における動作は、図５の構成を元に図７及び８のフローチャートを用いて説明した場合とほぼ同じであるので、相違点のみを説明する。つまり、ステップＳ１０７におけるレジューム情報の取得では、再生部６０ｂを介して録画記憶部Ｍ２として装填されている記憶媒体のＩＤを取得し、そのＩＤとタイトル番号を元にレジューム記憶部Ｍ３から対応するレジューム情報を取得する。ステップＳ１２８では記憶媒体のＩＤとタイトル番号に対応した位置のレジューム情報を無効にする。ステップＳ１２７では、記憶媒体のＩＤとタイトル番号に対応した位置に停止した位置情報を格納する。
【図面の簡単な説明】
【００７５】
【図１】本発明が適用される情報記録再生装置の構成を示すブロック図。
【図２】リアルタイムレコーディングＤＶＤのビデオ及びオーディオファイルのデイレクトリー構造を示す。
【図３】ムービービデオファイルとしてのＶＲ＿ＭＯＶＩＥ．ＶＲＯ及びスチルピクチャービデオファイルとしてのＶＲ＿ＳＴＩＬＬ．ＶＲＯのファイル構造を示す。
【図４】ＶＭＧファイルに記述されている情報、特にプログラムチェーン情報（ＰＧＣＩ）を階層的に示す。
【図５】本発明の第1の実施形態に係る再生システムの構成を示すブロック図。
【図６】レジューム情報が格納されるテーブルの一例を示す。
【図７】図５の装置における動作を示すフローチャート。
【図８】図５の装置における動作を示すフローチャート。
【図９】本発明の第２の実施形態に係る再生システムの構成を示すブロック図。
【図１０】レジューム情報が格納されるテーブルの他の例を示す。
【図１】
2004362766.tif 000003
【図２】
2004362766.tif 000004
【図３】
2004362766.tif 000005
【図４】
2004362766.tif 000006
【図５】
2004362766.tif 000007
【図６】
2004362766.tif 000008
【図７】
2004362766.tif 000009
【図８】
2004362766.tif 000010
【図９】
2004362766.tif 000011
【図１０】
2004362766.tif 000012